(57)【要約】【課題】開閉動作を円滑に行えるスライドドア装置にして、不用意な開閉動作を防止しながら開閉時の摩擦音を抑制できるようにする。【解決手段】平行する一対のガイドレール１４を有するドアフレーム１と、ドアフレーム１の内側にあって開放位置と閉鎖位置との間を移動するスライドドア２と、を備えるスライドドア装置である。ガイドレール１４は、スライドドア２の移動方向に沿って形成されている。スライドドア２は、ガイドレール１４，１４の間に跨るドア本体２１と、ドア本体２１の両側に連なってガイドレール１４に対して摺動する一対のランナー部２２，２２とを有する。ランナー部２２は、ガイドレール１４に転がり接触する走行ローラ２３と、ガイドレール１４に弾性接触する摺接ボス２４ｂと、を有して構成される。【選択図】図５
2010225823.tif 000002
【特許請求の範囲】
【請求項１】
平行する一対のガイドレールを有するドアフレームと、このドアフレームの内側にあって開放位置と閉鎖位置との間を移動するスライドドアとを備え、
前記スライドドアは、前記一対のガイドレールの間に跨るドア本体と、このドア本体の両側に連なって前記ガイドレールに対して摺動する一対のランナー部とを有し、
前記ランナー部は、前記ガイドレールに転がり接触する走行ローラと、前記ガイドレールに弾性接触する摺接ボスと、を有していることを特徴とするスライドドア装置。
【請求項２】
前記摺接ボスは、前記ガイドレールに点接触する形状を有して板バネの先端に突設されていることを特徴とする請求項１記載のスライドドア装置。
【請求項３】
前記ドア本体の表面部には、前記走行ローラの軸線に沿う領域内において前記スライドドアを開閉操作するときの押圧部分を指示する指当てマークが設けられていることを特徴とする請求項１、又は２記載のスライドドア装置。
【請求項４】
前記ランナー部には、前記ドア本体から前記ガイドレールに対して前記摺接ボスを押し付ける外力が作用したとき、前記ガイドレールに接触して前記外力に抵抗する反力を発生する支持凸部が設けられていることを特徴とする請求項１〜３のいずれか一項に記載のスライドドア装置。
【請求項５】
前記ランナー部は、前記ガイドレールの幅方向壁面に転がり接触するガイドローラを有していることを特徴とする請求項１〜４のいずれか一項に記載のスライドドア装置。
【請求項６】
前記ガイドレールと前記ランナー部との何れか一方に、前記スライドドアを前記開放位置と閉鎖位置とに拘束するための凸状または凹状の係止部が形成され、他方には前記スライドドアが前記開放位置と閉鎖位置とにあるとき前記係止部に対して弾性的に係合する被係止部が設けられていることを特徴とする請求項１〜５の何れか一項に記載のスライドドア装置。
【発明の詳細な説明】
【技術分野】
【０００１】
本発明は、電子機器その他の各種機器に一体的に組みつけられるスライドドア装置に係わり、特に開閉動作時の摩擦音や開閉の繰り返しによる部材の摩耗を抑制して開閉動作が円滑に行われるようにしたスライドドア装置に関する。
【背景技術】
【０００２】
従来、電子機器などの外装に形成される開口部分などを開閉する手段として、引き戸（スライドドア）や開き戸などが利用されている。このうち、スライドドアは、ドアフレーム（戸枠）の内側に組み込まれて摺動するので、開閉時に不快な摩擦音を発生することが多く、しかも繰り返しの開閉動作により摺接部分が摩耗してガタツキを生ずるという問題があった。
【０００３】
そこで、所定の経路に沿って移動するドア部材に複数のローラ部材を設け、その各ローラ部材を移動経路面に転がり接触させるようにしたドア装置が提案されている（例えば、特許文献１）。
【０００４】
又、ケース本体の開口部を開閉するスライドドアに関し、その上下両縁にケース本体の摺動溝内に嵌る摺動爪を設けると共に、スライドドアの上縁側に設けられる摺動爪（嵌入部）には弾性腕を介して摺動突起を一体に連ね、その摺動突起が弾性腕の作用によりケース本体の摺動溝の内壁に対して弾性接触するようにしたスライドドア装置が知られる（例えば、特許文献２）。
【先行技術文献】
【特許文献】
【０００５】
【特許文献１】特表２００８−５４２８１３号公報
【特許文献２】特開平８−２３５８４２号公報
【発明の概要】
【発明が解決しようとする課題】
【０００６】
しかしながら、特許文献１のように複数のローラ部材により移動可能に支持されるドア部材によれば、摩擦音を発生せずして円滑な開閉動作を実現できるものの、装置本体がドア部材の移動方向に若干傾いて配置されるなどした場合、ドア部材が不用意に開閉してしまい兼ねない。
【０００７】
一方、特許文献２に開示されるスライドドアによれば、弾性腕と摺動突起の働きによりスライドドアのガタツキを防止できるが、先端に摺動突起をもつ弾性腕はこれに連なる摺動爪の片面全体を摺動溝の内壁面に押し付けるよう作用する。このため、スライドドアの開閉に際して不快な摩擦音を発生する。
【０００８】
本発明は、以上のような事情に鑑みて成されたものであり、その目的は開閉動作を円滑に行えるスライドドア装置にして、不用意な開閉動作を防止しながら開閉時の摩擦音を抑制できるようにすることにある。
【課題を解決するための手段】
【０００９】
本発明は上記目的を達成するため、
平行する一対のガイドレール１４を有するドアフレーム１と、このドアフレーム１の内側にあって開放位置と閉鎖位置との間を移動するスライドドア２とを備え、
前記スライドドア２は、前記一対のガイドレール１４，１４の間に跨るドア本体２１と、このドア本体２１の両側に連なって前記ガイドレール１４に対して摺動する一対のランナー部２２とを有し、
前記ランナー部２２は、前記ガイドレール１４に転がり接触する走行ローラ２３と、前記ガイドレール１４に弾性接触する摺接ボス２４ｂと、を有していることを特徴とするスライドドア装置を提供する。
【００１０】
尚、以上のようなスライドドア装置において、前記摺接ボス２４ｂは、前記ガイドレール１４に点接触する形状を有して板バネ２４ａの先端に突設されていることが好ましい。
【００１１】
加えて、前記ドア本体２１の表面部には、前記走行ローラ２３の軸線に沿う領域Ｓ内において前記スライドドア２を開閉操作するときの押圧部分を指示する指当てマーク２１ａが設けられていることが好ましい。
【００１２】
又、前記ランナー部２２には、前記ドア本体２１から前記ガイドレール１４に対して前記摺接ボス２４ｂを押し付ける外力が作用したとき、前記ガイドレール１４に接触して前記外力に抵抗する反力を発生する支持凸部２５が設けられていることが好ましい。
【００１３】
又、前記ランナー部２２は、前記ガイドレール１４の幅方向壁面（側板１４ｂ又は側板１４ｃ）に転がり接触するガイドローラ２６を有していることが好ましい。
【００１４】
更に、前記ガイドレール１４と前記ランナー部２２との何れか一方に、前記スライドドア２を前記開放位置と閉鎖位置とに拘束するための凸状または凹状の係止部１５が形成され、他方には前記スライドドア２が前記開放位置と閉鎖位置とにあるとき前記係止部１５に対して弾性的に係合する被係止部２７ｂが設けられていることが好ましい。
【発明の効果】
【００１５】
本発明に係るスライドドアによれば、ガイドレールに対して摺動する一対のランナー部を有し、そのランナー部がガイドレールに転がり接触する走行ローラを有していることから、不快な摩擦音を発生せずして開閉動作を円滑に行え、しかもランナー部には走行ローラのみならずガイドレールに弾性接触する摺接ボスが設けられることから、ガイドレールと摺接ボスとの間に作用する摩擦力を一定に保って摺接部分の摩耗を抑制しながら、開放位置や閉鎖位置にあるスライドドアが不用意に移動してしまうことを防止できる。
【００１６】
特に、摺接ボスがガイドレールに点接触する形状を有して板バネの先端に突設されることから、ガイドレールとの間に作用する摩擦力を小さくして、スライドドアの円滑な移動が阻害されることを防止できる。
【００１７】
又、ドア本体の表面部には、走行ローラの軸線に沿う領域内において、スライドドアを開閉操作するときの押圧部分を指示する指当てマークが設けられていることから、摺接ボスに過負荷が作用することを防止しながら、ガイドレールに対して走行ローラをスリップなく強固に押し付けることができる。
【００１８】
加えて、ランナー部には、ドア本体からガイドレールに対して摺接ボスを押し付ける外力が作用したとき、ガイドレールに接触して外力に抵抗する反力を発生する支持凸部が設けられていることから、スライドドアの開閉に際して摺接ボスの上方が押圧された場合でも、その摺接ボスがガイドレールに強固に押し付けられたまま摺動されてしまうことを防止できる。
【００１９】
更に、ランナー部には、ガイドレールの幅方向壁面に転がり接触するガイドローラが設けられることから、スライドドアの幅方向のガタツキを防止してその直進性を向上させることができる。
【００２０】
又、ガイドレールとランナー部との何れか一方にスライドドアを開放位置と閉鎖位置とに拘束するための係止部が形成され、他方にはスライドドアが開放位置と閉鎖位置とにあるとき係止部に対して弾性的に係合する被係止部が設けられていることから、ガイドレールに対する摺接ボスの接触と相俟って閉鎖位置や開放位置にあるスライドドアが不用意に移動してしまうことがなく、スライドドアを閉鎖位置や開放位置に留めることができ、しかもスライドドアを閉鎖位置や開放位置に移動させるとき、係止部に対する被係止部の弾性的な係合により感触の良いクリック感が得られる。
【図面の簡単な説明】
【００２１】
【図１】本発明に係るスライドドア装置を示す斜視図
【図２】スライドドアが閉鎖位置にある状態を示す平面図
【図３】スライドドアが開放位置にある状態を示す平面図
【図４】本発明に係るスライドドア装置を示す底面概略図
【図５】図３におけるＸ−Ｘ断面図
【図６】スライドドアを示す正面図
【図７】図５を部分的に拡大して示した断面図
【図８】一方のガイドレールの底面部を省略して示した底面図
【図９】図６におけるＹ−Ｙ断面図
【発明を実施するための形態】
【００２２】
以下、本発明に係るスライドドア装置の具体的態様を図面に基づいて詳しく説明する。先ず、図１において、１は合成樹脂などから形成される矩形枠状のドアフレームであり、このドアフレーム１は電子機器の筐体などに一体に組み込めるよう、その底部側に図示せぬ複数の連結片を有している。ドアフレーム１の表面側には矩形の凹部１１が形成され、凹部１１内の相対向する両側縁には後述するスリット１２が連続して形成されている。
【００２３】
又、図１において、２はドアフレーム１の内側に配置されるスライドドアであり、このスライドドア２はパネル状のドア本体２１を具備して構成される。ドア本体２１は、凹部１１に対応する矩形の輪郭にして凹部１１の略半分の面積を有しており、その表面部にはスライドドア２を開閉するときの押圧部分を指示する指当てマーク２１ａが設けられている。本例において、指当てマーク２１ａは複数の微小突起から形成されるもので、スライドドア２の開閉に際して操作者の指先に大きな摩擦抵抗を作用せしめる滑り止めとしての機能をも有する。尚、図には指当てマーク２１ａをドア本体２１の片側寄りに設けた例を示しているが、この指当てマーク２１ａは、ドア本体２１の表面部にあって後述する走行ローラの軸線Ｌに沿う帯状の領域Ｓ内であればよい。
【００２４】
そして、上記のようなドア本体２１をもつスライドドア２は、ドアフレーム１の内側にあって図１および図２に示される閉鎖位置と、図３に示される開放位置との間を移動可能とされている。尚、図２および図３における斜めハッチングは、ドア本体２１を明示するもので、断面をあらわすものではない。
【００２５】
図３から明らかなように、ドアフレーム１には、スライドドア２が開放位置にあって現れる開口部１３が形成されている。すなわち、上記開放位置とはドア本体２１が凹部１１の一方側の領域にあって開口部１３を現し、上記閉鎖位置とはドア本体２１が凹部１１の他方側の領域にあって開口部１３を遮蔽する位置を意味する。尚、本例において、開口部１３は情報記録媒体としてのカセットテープを装填する断面凹字形の窪みであるが、係る開口部１３はディスプレイ装置や使用頻度の低いスイッチ類を集積したパネルなどを嵌め込む領域でもよいし、小物類を収納する領域でもよく、その形態や使用態様に特別制限はない。
【００２６】
次に、図４および図５において、ドアフレーム１の底部両側には、スライドドア２の移動方向に沿って延びる左右一対のガイドレール１４が平行に形成されている。その両ガイドレール１４は、ドアフレーム１の上縁を成すルーフ板１４ａと、左右一対の側板１４ｂ，１４ｃと、ルーフ板１４ａに対向する床板１４ｄとから形成される角筒形であり、その内部は上記スリット１２を介して表面側の凹部１１に連通している。尚、図４における斜めハッチングは、ガイドレール１４の底面部となる床板１４ｄを明示するためのもので、断面をあらわすものではない。
【００２７】
一方、図５および図６から明らかなように、スライドドア２は、ドア本体２１の両側に左右一対のランナー部２２を直角に連ねた門形の形態とされている。ランナー部２２は、ガイドレール１４内に摺動可能に収容される板状の部材であり、その上端部はスリット１２から凹部１１内に突出してドア本体２１の底部両側縁に接続している。そして、ドア本体２１は、ドアフレーム１に接触せずしてガイドレール１４，１４の間に跨る状態で凹部１１内に配置され、左右一対のランナー部２２，２２により凹部１１の底面上に若干浮いた状態で支持されている。
【００２８】
尚、図７から明らかなように、ガイドレール１４を形成するルーフ板１４ａにはスライドドア２の移動方向（図示面に直交する方向）に沿って延びる凸条１４ｅが形成されており、その凸条１４ｅに対してランナー部２２の上面部が摺接するようになっている。
【００２９】
次に、図７〜図９によりランナー部の構造をより詳しく説明すれば、ランナー部２２には、スライドドア２の移動方向一端部において、ガイドレール１４の底面部（床板１４ｄ）に転がり接触する走行ローラ２３が設けられる。走行ローラ２３は、床板１４ｄに接触する外周をゴム層とするゴムローラであり、その軸部２３ａは板状のランナーベース２２ａに形成した切欠溝ｍ１に嵌め込まれて回転自在に支持されている。尚、走行ローラ２３は、その軸部２３ａがガイドレール１４の幅方向に向けられて床板１４ｄに直交する面内で回転する。そして、係る走行ローラ２３によれば、スライドドア２を円滑に移動させることができ、特に外周をゴム層とする走行ローラ２３では、床板１４ｄ上でのスリップを防止でき、しかもドア本体２１からの押圧力によりゴム層が圧縮することにより、ランナー部２２の上面部と上記凸条１４ｅとの間に作用する摩擦力を軽減しながらスライドドア２を移動させることができるため、スライドドア２の移動における摩擦音の発生を抑制することが可能になる。
【００３０】
又、ランナー部２２には、走行ローラ２３とは反対側の端部に板バネ２４ａを介して摺接ボス２４ｂが設けられている。板バネ２４ａはランナーベース２２ａからガイドレール１４の長手方向に張り出し、その先端に上記の摺接ボス２４ｂが一体に形成されている。摺接ボス２４ｂは、例えば合成樹脂などから形成される半球状の球面体で、その表面の一点が板バネ２４ａの作用によりガイドレール１４の底面部（床板１４ｄ）に弾性接触する。このように、摺接ボス２４ｂはランナー部２２の円滑な移動を阻害せぬよう床板１４ｄに対して弾性的に点接触するが、その形態は図示例のような球面体に限らず、角錐や円錐などの錐体にしてその頂点が床板１４ｄに接触するようにしてもよい。
【００３１】
ここで、図９から明らかなように、上記の指当てマーク２１ａはドア本体２１の表面部にあって走行ローラ２３の軸線（軸部２３ａの中心を通る直線）に沿う帯状の領域Ｓ内（図１参照）に設けられている。換言すれば、指当てマーク２１ａは、図９のようにスライドドア２の移動方向（図９の左右方向）の幅をＷとしたとき、その幅Ｗの範囲の直下に走行ローラ２３の軸線が含まれるように設けられる。要するに、指当てマーク２１ａは、その直下を走行ローラ２３の軸線が通る位置に設けられるのであり、中でも走行ローラ２３に正対する位置が最も望ましいが、２つの走行ローラ２３の中間となる位置でもよく、いずれの場合でも指当てマーク２１ａが走行ローラ２３の軸線に沿う幅Ｗの領域Ｓ内に設けられることにより、スライドドア２の開閉時に摺接ボス２４ｂが板バネ２４ａによる付勢力よりも大きな外力で床板１４ｄに押し付けられることが防止される。これによれば、摺接ボス２４ｂと床板１４ｄとの間に作用する摩擦力を軽減してスライドドア２の円滑な開閉動作を可能にしながら、不快な摩擦音が発生することを抑制することができる。
【００３２】
しかし、スライドドア２の開閉に際して指当てマーク２１ａの部分が押圧されるとは限らず、誤って摺接ボス２４ｂ上が押圧されてしまう可能性もある。このため、ランナーベース２２ａには、板バネ２４ａの接続部近傍から床板１４ｄに向けて突出する支持凸部２５が設けられる。この支持凸部２５は、無負荷時には床板１４ｄに接触せず、摺接ボス２４ｂの上部領域においてドア本体２１が押圧され、これによりドア本体２１から床板１４ｄに対して摺接ボス２４ｂを押し付ける外力が作用したときに床板１４ｄに接触し、その外力に抵抗する反力を発生する。従って、摺接ボス２４ｂが床板１４ｄに強固に押し付けられたまま摺動されてしまうことを防止できる。
【００３３】
又、ランナー部２２には、走行ローラ２３と摺接ボス２４ｂとの間においてガイドローラ２６と弾性爪２７が設けられる。このうち、ガイドローラ２６は、ガイドレール１４の幅方向内壁面（側板１４ｂ）に転がり接触するもので、その軸部２６ａは床板１４ｄに直交する方向に向けられてランナーベース２２ａに形成される切欠溝ｍ２で回転自在に支持されている。尚、図７〜図９には、片方のランナー部２２のみを示しているが、他方のランナー部２２に設けられるガイドローラ２６も、対応するガイドレール１４の側板１４ｂに転がり接触されており、その両ガイドレール２６の外周は走行ローラ２３と同じくゴム層とされている。そして、係るガイドローラ２６によれば、スライドドア２の幅方向（左右方向）のガタツキを防止して、その直進性を向上させることができる。
【００３４】
一方、弾性爪２７は、ランナーベース２２ａに一体成形される板バネ部２７ａと、その先端に形成される円柱状の掛爪部２７ｂとから構成される。図８および図９から明らかなように、掛爪部２７ｂはガイドレール１４の側板１４ｂに臨み、側板１４ｂには掛爪部２７ｂに対応してガイドレール１４の長手方向に隔たる２つの係止突起１５が設けられている。係止突起１５は、スライドドア２を上記の開放位置と閉鎖位置とに拘束するための係止部となるもので、スライドドア２が開放位置と閉鎖位置とにあるとき、ランナー部２２側に設けた掛爪部２７ｂ（被係止部）が係止突起１５に弾性的に係合するようになっている。このため、床板１４ｄに対する摺接ボス２４ｂの接触と相俟って、開放位置や閉鎖位置にあるスライドドア２が不用意に移動してしまうことがなく、そのスライドドア２を開放位置や閉鎖位置に留めることができ、しかもスライドドア２を開放位置や閉鎖位置に移動させるとき、掛爪部２７ｂが係止突起１５を乗り越えることで感触の良いクリック感が得られる。
【００３５】
以上、図面に基づき本発明の具体例を説明したが、係るスライドドア装置は各種機器の上面部に設けられことに限らず、機器の正面（前面）に設けてスライドドア２が上下方向や左右方向に開閉する態様としてもよい。
【００３６】
又、上記例ではガイドレール１４をルーフ板１４ａと側板１４ｂ，１４ｃと床板１４ｄとから成る筒形としたが、一方の側板１４ｃを省略して、ガイドレール１４を溝形としてもよい。
【００３７】
一方、上記例では、ガイドローラ２６や弾性爪２７を内側の側板１４ｂ側に対向して設け、同側板１４ｂに係止突起１５を設けるようにしたが、それらを外側の側板１４ｃ側に設けるようにしてもよい。更に、上記例では、係止部を凸状の係止突起１５としたが、これを凹状にしてもよい。又、係止部としての係止突起１５をランナー部２２に設け、これに対応する被係止部としての弾性爪２７をガイドレール１４に設けるようにしてもよく、更には板バネ２４ａと摺接ボス２４ｂを弾性爪２７に代わる被係止部として利用することもできる。
【符号の説明】
【００３８】
１  ドアフレーム（戸枠）
１３  開口部
１４  ガイドレール
１４ａ  ルーフ板
１４ｂ，１４ｃ  側板（ガイドレールの幅方向内壁面）
１４ｄ  床板（ガイドレールの底面部）
１５  係止突起（係止部）
２  スライドドア
２１  ドア本体
２１ａ  指当てマーク
２２  ランナー部
２３  走行ローラ
２４ａ  板バネ
２４ｂ  摺接ボス
２５  支持凸部
２６  ガイドローラ
２７  弾性爪
２７ａ  板バネ部
２７ｂ  掛爪部（被係止部）
【図１】
2010225823.tif 000003
【図２】
2010225823.tif 000004
【図３】
2010225823.tif 000005
【図４】
2010225823.tif 000006
【図５】
2010225823.tif 000007
【図６】
2010225823.tif 000008
【図７】
2010225823.tif 000009
【図８】
2010225823.tif 000010
【図９】
2010225823.tif 000011